(57)【要約】【課題】衛生的に安価に長期使用することができる電極パッドを提供する。【解決手段】電極パッド１００は、電極ユニット１２０を挟持した吸水ユニット１１０とカバーユニット１３０とを接続することで構築される。このため、吸水されて生体に密着される吸水ユニット１１０を、洗濯などできない高価な電極ユニット１２０から分離して、洗濯したり交換することができる。したがって、通電システムの電極パッド１００を、安価に衛生的に長期使用することができる。【選択図】図１
2014054439.tif 000002
【特許請求の範囲】
【請求項１】
生体に電流を通電するための電極パッドであって、
吸水ユニットと、電極ユニットと、カバーユニットと、を有しており、
前記吸水ユニットは、吸水性の弾性体で形成されていて一面が前記生体の表面に密着される吸水本体と、前記吸水本体を前記カバーユニットに着脱自在に接続する吸水接続機構と、を有しており、
前記電極ユニットは、前記吸水ユニットの他面に密着して外部から供給される電流を各々通電する複数の通電電極と、複数の前記通電電極が一面に配列されている電極本体と、複数の前記通電電極の各々の裏側で前記電極本体の他面に個々に突設されている複数の押圧凸部と、を有しており、
前記カバーユニットは、前記吸水ユニットに前記電極ユニットを保持するカバー本体と、前記カバー本体の一面に装着されていて前記吸水接続機構と着脱自在に接続されるカバー接続機構と、保持した前記電極ユニットの前記押圧凸部が当接する前記カバー本体の一面の裏側で他面に装着されていて別体のファスナーベルトに着脱自在に装着される面ファスナーと、を有している、
電極パッド。
【請求項２】
前記電極ユニットは、前記通電電極の裏側で前記電極本体の他面の前記押圧凸部の周囲に補助凸部が突設されている、
請求項１に記載の電極パッド。
【請求項３】
前記電極ユニットは、前記電極本体の複数の前記通電電極の境界の部分が他部より屈曲容易に形成されており、
前記吸水ユニットは、前記電極本体の前記境界の部分に対応した前記吸水本体の部分が他部より屈曲容易に形成されており、
前記カバーユニットは、前記電極本体の前記境界の部分に対応した前記カバー本体の部分が他部より屈曲容易に形成されている、
請求項１または２に記載の電極パッド。
【発明の詳細な説明】
【技術分野】
【０００１】
本発明は、人体などの生体に電流を通電する電極パッドに関する。
【背景技術】
【０００２】
現在、血流向上などを目的とした通電システムが市販されている。このような通電システムは、商用電源に電源コードで電気接続される通電本体と、この通電本体に通電コードで結線される電極ユニットと、この電極ユニットを収容する巻回ベルトと、を有している。この巻回ベルトは、ビニールレザーなどにより細長形状に形成されており、両端に面ファスナーなどが装着されている。このような巻回ベルトには、一面がスポンジシートで形成されているポケットが形成されており、このポケットに電極ユニットが収容される。
【０００３】
この電極ユニットは、たとえば、絶縁性の電極本体に三個の通電電極が三角形に配置された構造に形成されており、その通電電極に通電本体の通電コードが結線される。このような電極ユニットを巻回ベルトのポケットに収容すると、その通電電極がスポンジシートに当接する。そこで、このスポンジシートを吸水させて導電性を発生させ、この導電性のスポンジシートが密着するように巻回ベルトを生体である人間の腕部などに巻回する。このような状態で、通電本体から電極ユニットに電流を通電すると、この電流は電極ユニットの通電電極からスポンジシートを介して生体に通電される。
【０００４】
なお、本出願の電極パッドとは直接には関係ないが、３ピース構造の低周波治療の導電パッドの提案がある（たとえば、特許文献１）。この導電パッドは、皿状の樹脂ケースと、金属製の導電薄板と、スポンジ板と、を重合した構造に形成されている。この導電パッドを使用するときは、水分を吸収させたスポンジ板を生体に密着させ、このスポンジ板を介して導電薄板から生体まで低周波を供給する。
【先行技術文献】
【特許文献】
【０００５】
【特許文献１】特開平１０−０９９４５０号公報
【発明の概要】
【発明が解決しようとする課題】
【０００６】
従来の通電システムでは、巻回ベルトのポケットに収容した電極ユニットから吸水したスポンジシートを介して生体に電流を通電することができる。しかしながら、このような通電システムを繰り返し使用すると、生体に密着されるスポンジシートは必然的に汚損することになる。このように汚損したスポンジシートを生体に密着させることは、非衛生的であり、利用者に不快感を与えることになる。これを防止するためには、巻回ベルトを交換することになるが、これでは通電システムを安価に長期使用することができない。
【０００７】
本発明は上述のような課題に鑑みてなされたものであり、衛生的に安価に長期使用することができる電極パッドを提供するものである。
【課題を解決するための手段】
【０００８】
上述のような課題を解決するため、本発明の電極パッドは、生体に電流を通電するための電極パッドであって、吸水ユニットと、電極ユニットと、カバーユニットと、を有しており、前記吸水ユニットは、吸水性の弾性体で形成されていて一面が前記生体の表面に密着される吸水本体と、前記吸水本体を前記カバーユニットに着脱自在に接続する吸水接続機構と、を有しており、前記電極ユニットは、前記吸水ユニットの他面に密着して外部から供給される電流を各々通電する複数の通電電極と、複数の前記通電電極が一面に配列されている電極本体と、複数の前記通電電極の各々の裏側で前記電極本体の他面に個々に突設されている複数の押圧凸部と、を有しており、前記カバーユニットは、前記吸水ユニットに前記電極ユニットを保持するカバー本体と、前記カバー本体の一面に装着されていて前記吸水接続機構と着脱自在に接続されるカバー接続機構と、保持した前記電極ユニットの前記押圧凸部が当接する前記カバー本体の一面の裏側で他面に装着されていて別体のファスナーベルトに着脱自在に装着される面ファスナーと、を有している。
【０００９】
したがって、この電極パッドは、電極ユニットを挟持した吸水ユニットとカバーユニットとが接続されることで構築される。そして、この構築された一対の電極パッドがカバーユニットの面ファスナーで別体のファスナーベルトに装着され、このファスナーベルトにより生体の要部が一対の電極パッドで挟持される。このため、ファスナーベルトの所望の位置に一対の電極パッドを装着できるので、そのファスナーベルトを生体に装着することにより、一対の電極パッドを生体の所望の位置に密着させることができる。さらには、ファスナーベルトはカバーユニットの面ファスナー下に位置する電極ユニットの押圧凸部を押圧するので、これで弾性部材を介して通電電極を生体の表面に良好に密着させることができる。このような状態で、電極ユニットの通電電極に外部から電流が通電されると、この電流が吸水ユニットを経由して生体まで良好に通電される。そこで、この生体を挟持している一対の電極パッドの通電電極間で電流が通電されることになり、この電流の通電により生体に良好な影響を与えることが期待される。
【００１０】
上述のような電極パッドにおいて、さらなる発明としては、前記電極ユニットは、前記通電電極の裏側で前記電極本体の他面の前記押圧凸部の周囲に補助凸部が突設されている。したがって、ファスナーベルトに装着された一対の電極パッドで生体の要部を挟持するとき、ファスナーベルトはカバーユニットの面ファスナー下に位置する電極ユニットの押圧凸部を押圧するとともに、その周囲で通電電極の裏側に位置する補助凸部も押圧する。このため、より良好に通電電極が弾性部材を介して生体の表面に密着されることになる。
【００１１】
上述のような電極パッドにおいて、さらなる発明としては、前記電極ユニットは、前記電極本体の複数の前記通電電極の境界の部分が他部より屈曲容易に形成されており、前記吸水ユニットは、前記電極本体の前記境界の部分に対応した前記吸水本体の部分が他部より屈曲容易に形成されており、前記カバーユニットは、前記電極本体の前記境界の部分に対応した前記カバー本体の部分が他部より屈曲容易に形成されている。
【００１２】
したがって、この電極パッドでは、電極本体の複数の通電電極の境界の部分が、他部より容易に屈曲する。同様に、この電極本体の境界の部分に対応した、吸水本体の部分も他部より容易に屈曲する。さらに同様に、電極本体の境界の部分に対応した、カバー本体の部分も他部より容易に屈曲する。このため、電極パッドが生体の湾曲した表面に圧接される場合でも、その電極パッドが通電電極の境界の部分で屈曲して生体の湾曲した表面に密着する。
【発明の効果】
【００１３】
本発明の電極パッドは、吸水ユニットと電極ユニットとカバーユニットとが分離自在なので、生体に密着する吸水ユニットを、洗濯できない電極ユニットから分離して、洗濯や交換などすることができる。したがって、衛生的に安価に電極パッドを長期に使用することができる。
【００１４】
上述のような電極パッドにおいて、さらなる発明としては、ファスナーベルトに装着された一対の電極パッドで生体の要部を挟持するとき、ファスナーベルトはカバーユニットの面ファスナー下に位置する電極ユニットの押圧凸部を押圧するとともに、その周囲で通電電極の裏側に位置する補助凸部も押圧する。このため、弾性部材を介して通電電極を生体の表面に、より良好に密着させることができる。
【００１５】
上述のような電極パッドにおいて、さらなる発明としては、電極本体の複数の通電電極の境界の部分が、他部より容易に屈曲する。同様に、この電極本体の境界の部分に対応した、吸水本体の部分も他部より容易に屈曲する。さらに同様に、電極本体の境界の部分に対応した、カバー本体の部分も他部より容易に屈曲する。このため、電極パッドが生体の湾曲した表面に圧接される場合でも、その電極パッドを通電電極の境界の部分で屈曲させて生体の湾曲した表面に良好に密着させることができる。したがって、生体の表面が湾曲した部分にも電流を良好に通電することができる。
【図面の簡単な説明】
【００１６】
【図１】本発明の実施の形態における通電システムの電極パッドの組立構造を示す模式的な分解斜視図である。
【図２】本発明の実施の形態における電極パッドの外観を示す斜視図である。
【図３】本発明の実施の形態における電極パッドの電極ユニットの外観を示す斜視図である。
【図４】本発明の実施の形態における通電システムの全体構造を示す模式的な斜視図である。
【図５】本発明の実施の形態における通電システムの使用状態を示す模式的な斜視図である。
【発明を実施するための形態】
【００１７】
本発明の実施の一形態に関して図面を参照して以下に説明する。なお、図１は、本実施の形態の通電システムの電極パッドの組立構造を示す模式的な分解斜視図、図２は、電極パッドの外観を示す斜視図、図３は、電極パッドの電極ユニットの外観を示す斜視図、図４は、通電システムの全体構造を示す模式的な斜視図、図５は、通電システムの使用状態を示す模式的な斜視図、である。
【００１８】
本実施の形態の電極パッド１００は、詳細に関しては後述するが、図４および図５に示すように、人体などの生体に電流を通電する通電システム１０の一部であり、図１および図２に示すように、吸水ユニット１１０と、電極ユニット１２０と、カバーユニット１３０と、を有している。
【００１９】
図１に示すように、吸水ユニット１１０は、吸水本体であるスポンジシート１１１と、吸水接続機構である三個のオスフック１１２と、第一の縫製糸１１３と、第二の縫製糸１１４と、を有している。電極ユニット１２０は、電極本体であるゴムシート１２１と、複数である三個の通電電極１２２と、複数である複数の押圧凸部１２４と、三個の接続ソケット１２３と、複数である六個の補助凸部１２５と、を有している。カバーユニット１３０は、カバー本体であるプラスチックシート１３１と、三個の面ファスナーのフックシート１３２と、カバー接続機構である三個のメスフック１３３と、を有している。
【００２０】
本実施の形態の電極パッド１００の吸水ユニット１１０では、スポンジシート１１１は、吸水性の弾性体であるセルローススポンジで形成されており、三角形と円形との中間的な、いわゆるルーローの三角形状の平板状に形成されている。詳細に関しては後述するが、吸水ユニット１１０のスポンジシート１１１は、吸水することで良好な導電性を発生し、一面で生体の表面に密着される。
【００２１】
三個のオスフック１１２は、絶縁性の弾性樹脂で形成されており、生体に一面が密着されるスポンジシート１１１の他面の、湾曲した三辺の中央近傍に一個ずつ装着されている。第一の縫製糸１１３は、ポリエステル糸からなり、スポンジシート１１１の中心から三個のオスフック１１２の位置まで、放射状にスポンジシート１１１の一面と他面とを三本で縫製している。第二の縫製糸１１４も、ポリエステル糸からなり、スポンジシート１１１の外周近傍で一面と他面とを縫製している。
【００２２】
本実施の形態の電極パッド１００の電極ユニット１２０では、ゴムシート１２１は、絶縁性の軟質の合成ゴムで形成されており、三個の円盤を三角形に接続したような平面形状に形成されている。三個の通電電極１２２は、導電性の合成ゴムで円盤状に形成されており、図３に示すように、ゴムシート１２１の三個の円盤に相当する部分に、一個ずつ配置されている。詳細に関しては後述するが、これら三個の通電電極１２２は、吸水ユニット１１０の他面に密着して外部から供給される電流を各々通電する。
【００２３】
三個の押圧凸部１２４は、図１に示すように、三個の通電電極１２２の各々の裏側でゴムシート１２１の他面に個々に突設されている。三個の接続ソケット１２３は、三個の押圧凸部１２４から同一方向に延設されており、三個の通電電極１２２に個々に電気接続されている。これらの接続ソケット１２３は、詳細に関しては後述するが、図４に示すように、通電システム１０の通電本体２００に結線されている通電コード２３０の三個の接続コネクタ２３１が個々に着脱自在に接続される。
【００２４】
六個の補助凸部１２５は、図１に示すように、三個の通電電極１２２の各々の裏側で、ゴムシート１２１の他面の三個の押圧凸部１２４の各々の周囲に、二個ずつ突設されている。なお、前述のように、本実施の形態の電極パッド１００の電極ユニット１２０では、三個の押圧凸部１２４から同一方向に三個の接続ソケット１２３が延設されているため、これらの接続ソケット１２３と各々干渉しない配置で、ゴムシート１２１の外周上に補助凸部１２５は突設されている。
【００２５】
また、本実施の形態の電極パッド１００の電極ユニット１２０では、ゴムシート１２１の他面の三個の通電電極１２２の境界の部分の各々に、三本の凹溝１２６が個々に形成されている。そして、これら三本の凹溝１２６を頂点とするように、ゴムシート１２１の中央には三角状の電極孔１２７が形成されている。さらには、三本の凹溝１２６と連通する外周部には、吸水ユニット１１０のオスフック１１２とカバーユニット１３０のメスフック１３３との接続を阻害しないための円弧状の凹部１２８が形成されている。
【００２６】
本実施の形態の電極パッド１００のカバーユニット１３０では、プラスチックシート１３１は、絶縁性で除菌性や防カビ性に加工された合成樹脂で、やはり三角形と円形との中間的なルーローの三角形状に形成されており、吸水ユニット１１０に電極ユニット１２０を保持する。三個の面ファスナーのフックシート１３２は、保持した電極ユニット１２０の押圧凸部１２４が当接するプラスチックシート１３１の一面の裏側で他面に装着されており、詳細に関しては後述するが、図４に示すように、別体のファスナーベルト３００の面ファスナーのループシート３１０からなる内面に着脱自在に装着される。
【００２７】
また、図１に示すように、プラスチックシート１３１の一面には、三辺の中央近傍に、吸水ユニット１１０の三個のオスフック１１２と個々に着脱自在に接続される、三個のメスフック１３３が装着されている。これら三個のメスフック１３３を頂点とする三本の放射線状の一つのカバー孔１３４が、プラスチックシート１３１の中央に形成されている。
【００２８】
前述のように、電極ユニット１２０は、ゴムシート１２１の三個の通電電極１２２の境界の部分の各々に三本の凹溝１２６が個々に形成されており、これら三本の凹溝１２６を頂点とするようにゴムシート１２１の中央に三角状の電極孔１２７が形成されている。さらには、三本の凹溝１２６と連通する外周部に円弧状の凹部１２８が形成されているので、ゴムシート１２１は、三個の通電電極１２２の境界の部分が他部より屈曲容易に形成されている。
【００２９】
そして、吸水ユニット１１０のスポンジシート１１１は、中心から三個のオスフック１１２の位置まで三本の放射線状に、一面と他面とが第一の縫製糸１１３で縫製されているので、ゴムシート１２１の境界の部分に対応した部分が他部より屈曲容易に形成されている。また、カバーユニット１３０のプラスチックシート１３１は、三個のメスフック１３３を頂点とする三本の放射線状の一つのカバー孔１３４が中央に形成されているので、ゴムシート１２１の境界の部分に対応した部分が他部より屈曲容易に形成されている。
【００３０】
そして、上述のような構造の電極パッド１００は、図４に示すように、通電システム１０の一部として、面ファスナーのループシート３１０からなる一本のファスナーベルト３００の内面の所望の位置に、一対がカバーユニット１３０のフックシート１３２により着脱自在に装着される。このファスナーベルト３００は外面の一端にフックシート３２０が装着されているので、この外面のフックシート３２０が内面のループシート３１０と着脱自在に接続される。
【００３１】
本実施の形態の通電システム１０は、電極パッド１００やファスナーベルト３００とは別体に通電本体２００を有しており、この通電本体２００には商用電源に電気接続される電源コード２２０が結線されている。さらには、通電本体２００には電極パッド１００に接続される通電コード２３０も結線されており、この通電コード２３０は、一対の電極パッド１００の各々に個々に接続できるように二股に分岐されている。さらには、電極パッド１００の三個の接続ソケット１２３に個々に接続できるように、二股に分岐された部分が三股に分岐されており、その各々に六個の接続コネクタ２３１が個々に装着されている。
【００３２】
上述のような構成において、本実施の形態の電極パッド１００は、図１および図２に示すように、吸水ユニット１１０に電極ユニット１２０とカバーユニット１３０とを重合させ、このカバーユニット１３０の三個のメスフック１３３を吸水ユニット１１０の三個のオスフック１１２に個々に接続して電極ユニット１２０を保持することで構築される。
【００３３】
そして、本実施の形態の通電システム１０を使用する場合には、電源コード２２０が商用電源に接続されている通電本体２００の通電コード２３０が、一対の電極パッド１００に接続される。その場合、吸水ユニット１１０を吸水させることにより、吸水ユニット１１０を導電性とする。そして、このように導電性となった吸水ユニット１１０に電極ユニット１２０をカバーユニット１３０で保持して電極パッド１００を構築する。
【００３４】
このように構築された電極パッド１００の、電極ユニット１２０の三個の接続ソケット１２３の二個は外周部に位置しているので、そのまま通電コード２３０の接続コネクタ２３１が個々に接続される。一方、電極パッド１００の三個の接続ソケット１２３の一個は中心に位置しているので、カバーユニット１３０の中央のカバー孔１３４を経由して通電コード２３０の接続コネクタ２３１が接続される。
【００３５】
このように通電コード２３０が各々接続された一対の電極パッド１００が、図４に示すように、一本のファスナーベルト３００に装着される。このとき、ファスナーベルト３００の内面は面ファスナーのループシート３１０からなり、電極パッド１００のカバーユニット１３０には面ファスナーのフックシート１３２が装着されているので、一対の電極パッド１００はファスナーベルト３００の所望の位置に着脱自在に装着される。
【００３６】
ただし、本実施の形態の通電システム１０では、図５に示すように、一対の電極パッド１００により生体である人間の腕部ＨＲなどを挟持するので、図４に示すように、一対の電極パッド１００はファスナーベルト３００の適切な位置に対称に装着される。このような状態で、図５に示すように、ファスナーベルト３００を腕部ＨＲなどに巻回し、その腕部ＨＲなどを一対の電極パッド１００に挟持させる。
【００３７】
そこで、通電本体２００を操作すると一対の電極パッド１００の一方から他方に電流が通電されるので、この電流が腕部ＨＲなどを通電することになる。このように電流が腕部ＨＲなどに通電されると、腕部ＨＲの血流向上などの生体に良好な影響を与えることが期待される。このとき、三個の通電電極１２２の全部で通電を実行してもよく、一部のみで実行してもよい。
【００３８】
本実施の形態の通電システム１０では、上述のように電極パッド１００が分離自在な吸水ユニット１１０と電極ユニット１２０とカバーユニット１３０からなる。このため、吸水されて生体に密着される吸水ユニット１１０を、洗濯などできない高価な電極ユニット１２０から分離して、洗濯したり交換することができる。したがって、通電システム１０の電極パッド１００を、安価に衛生的に長期使用することができる。
【００３９】
さらには、本実施の形態の通電システム１０では、カバーユニット１３０の面ファスナーのフックシート１３２により、ファスナーベルト３００の所望の位置に、電極パッド１００を装着することができる。このため、人体の腕部ＨＲや脚部などの所望の位置を、一対の電極パッド１００で挟持することができる。
【００４０】
しかも、本実施の形態の通電システム１０では、電極パッド１００のカバーユニット１３０に面ファスナーのフックシート１３２が装着されており、ファスナーベルト３００の内面が面ファスナーのループシート３１０からなる。このため、生体に密着するファスナーベルト３００の内面がフックシート１３２ではなくループシート３１０からなるので、ファスナーベルト３００の密着により生体に不快感を与えることを防止できる。
【００４１】
さらには、本実施の形態の通電システム１０では、電極パッド１００の電極ユニット１２０の通電電極１２２の裏側に押圧凸部１２４が突設されている。したがって、ファスナーベルト３００に装着された一対の電極パッド１００で生体の要部を挟持するとき、ファスナーベルト３００はカバーユニット１３０の面ファスナー下に位置する電極ユニット１２０の押圧凸部１２４を押圧する。このため、弾性部材を介して通電電極１２２を生体の表面に良好に密着させることができる。
【００４２】
とくに、本実施の形態の通電システム１０では、電極ユニット１２０の押圧凸部１２４が当接する位置で、カバーユニット１３０に面ファスナーのフックシート１３２が装着されている。したがって、ファスナーベルト３００に装着された一対の電極パッド１００で生体の要部を挟持するとき、ファスナーベルト３００はカバーユニット１３０の面ファスナー下に位置する電極ユニット１２０の押圧凸部１２４を確実に押圧する。このため、電極パッド１００をファスナーベルト３００に装着して生体に密着させるとき、吸水ユニット１１０を介して通電電極１２２を生体の表面に、より良好に密着させることができる。
【００４３】
しかも、本実施の形態の通電システム１０では、電極ユニット１２０の通電電極１２２の裏側で、ゴムシート１２１の他面の押圧凸部１２４の周囲に補助凸部１２５が突設されている。したがって、ファスナーベルト３００に装着された一対の電極パッド１００で生体の要部を挟持するとき、ファスナーベルト３００はカバーユニット１３０の面ファスナー下に位置する電極ユニット１２０の押圧凸部１２４を押圧するとともに、その周囲で通電電極１２２の裏側に位置する補助凸部１２５も押圧する。このため、弾性部材を介して通電電極１２２を生体の表面に、さらに良好に密着させることができる。
【００４４】
とくに、本実施の形態の通電システム１０では、一個の押圧凸部１２４の周囲に二個ずつ突設されている。したがって、ファスナーベルト３００に装着された一対の電極パッド１００で生体の要部を挟持するとき、ファスナーベルト３００は一個の押圧凸部１２４と二個の補助凸部１２５とを押圧することになる。このため、いわゆる三点支持により通電電極１２２を安定に圧接することができる。
【００４５】
しかも、電極パッド１００には三個の通電電極１２２が三角形に配列されている。このため、いわゆる三点支持の状態で吸水ユニット１１０を介して三個の通電電極１２２を生体の表面に安定に未着させることができる。さらには、ファスナーベルト３００に装着された一対の電極パッド１００で生体の要部を挟持して通電電極１２２で電流を通電するとき、三対の通電電極１２２の全部で電流を通電することもでき、三対の通電電極１２２の一部で電流を通電することもできる。
【００４６】
また、本実施の形態の通電システム１０では、ゴムシート１２１の三個の通電電極１２２の境界の部分の各々に三本の凹溝１２６が個々に形成されており、これら三本の凹溝１２６を頂点とするようにゴムシート１２１の中央に三角状の電極孔１２７が形成されている。さらには、三本の凹溝１２６と連通する外周部に円弧状の凹部１２８が形成されているので、ゴムシート１２１は、三個の通電電極１２２の境界の部分が他部より屈曲容易に形成されている。
【００４７】
そして、吸水ユニット１１０のスポンジシート１１１は、中心から三個のオスフック１１２の位置まで三本の放射線状に、一面と他面とが第一の縫製糸１１３で縫製されているので、ゴムシート１２１の境界の部分に対応した部分が他部より屈曲容易に形成されている。また、カバーユニット１３０のプラスチックシート１３１は、三個のメスフック１３３を頂点とする三本の放射線状の一つのカバー孔１３４が中央に形成されているので、ゴムシート１２１の境界の部分に対応した部分が他部より屈曲容易に形成されている。
【００４８】
このため、本実施の形態の通電システム１０では、電極パッド１００は三個の通電電極１２２の境界の部分で屈曲容易に形成されており、曲面からなる生体の表面に三個の通電電極１２２の全部を良好に圧接させるようなことができる。とくに、電極パッド１００の三個の押圧凸部１２４に対して六個の補助凸部１２５はゴムシート１２１の外周側に配置されているので、ファスナーベルト３００に装着された一対の電極パッド１００で生体の要部を挟持するとき、その三個の通電電極１２２を曲面からなる生体の表面に良好に圧接させることができる。
【００４９】
しかも、上述のように電極パッド１００を屈曲容易とするため、電極ユニット１２０のゴムシート１２１は外周部に三つの凹部１２８が形成されているが、この三つの凹部１２８の位置で吸水ユニット１１０の三個のオスフック１１２とカバーユニット１３０の三個のメスフック１３３とが個々に接続される。このため、電極ユニット１２０を介して接続するために吸水ユニット１１０とカバーユニット１３０とを拡大する必要がなく、屈曲容易とした電極ユニット１２０の全体が小型化されている。
【００５０】
また、電極ユニット１２０は通電コード２３０の結線を容易とするため、三個の接続ソケット１２３が三個の通電電極１２２の中心から同一方向に延設されている。このため、三個の接続ソケット１２３の二個は電極パッド１００の外周部に位置しているが、一個は電極パッド１００の中央に位置している。しかしながら、前述のように電極パッド１００を屈曲容易とするため、カバーユニット１３０の中央には三本の放射線状の一つのカバー孔１３４が形成されている。このため、このカバー孔１３４を利用して、電極パッド１００の中央に位置する接続ソケット１２３に、通電コード２３０の接続コネクタ２３１を容易に接続することができる。
【００５１】
さらには、上述のように電極パッド１００を屈曲容易とするため、吸水ユニット１１０はスポンジシート１１１の中心から三個のオスフック１１２の位置まで三本の放射線状に、一面と他面とが第一の縫製糸１１３で縫製されている。このため、柔軟なスポンジシート１１１が無用に伸張されることを、伸張不能な第一の縫製糸１１３で防止することができ、吸水ユニット１１０の耐久性が向上している。とくに、スポンジシート１１１の外周部も伸張不能な第二の縫製糸１１４で縫製されているので、より吸水ユニット１１０の耐久性が向上している。
【００５２】
なお、本発明は本実施の形態に限定されるものではなく、その要旨を逸脱しない範囲で各種の変形を許容する。たとえば、上記形態では電極パッド１００に三個の通電電極１２２が装備されていることを例示した。しかしながら、電極パッド１００に装備されている通電電極１２２が二個以下でもよく、四個以上でもよい（図示せず）。
【００５３】
また、上記形態では電極パッド１００の吸水ユニット１１０にオスフック１１２が装着されていてカバーユニット１３０にメスフック１３３が装着されていることを例示した。しかしながら、吸水ユニット１１０にメスフック１３３が装着されていてカバーユニット１３０にオスフック１１２が装着されていてもよく、吸水ユニット１１０とカバーユニット１３０とが面ファスナーで接続されてもよい（図示せず）。
【００５４】
さらには、上記形態では電極パッド１００の屈曲を容易とするため、電極ユニット１２０のゴムシート１２１の他面に三本の放射線状に凹溝１２６が形成されていることを例示した。しかしながら、このような凹溝１２６がゴムシート１２１の一面に形成されていてもよく、一面と他面との両方に形成されていてもよい。また、このような凹溝１２６ではなく、三本の放射線状に、連続する複数の小孔や、スリットなどが形成されていてもよい。
【００５５】
同様に、上記形態では電極パッド１００の屈曲を容易とするため、カバーユニット１３０の中心に三本の放射線状の一つのカバー孔１３４が形成されていることを例示した。しかしながら、このカバー孔１３４が中心の丸孔と三本のスリットなどにより形成されていてもよく、中心の丸孔と三方向に連続する複数の小孔などにより形成されていてもよい（図示せず）。
【００５６】
また、上記形態では電極ユニット１２０の三個の通電電極１２２に個々に電気接続されている三個の接続ソケット１２３が同一方向に延設されていることを例示した。しかしながら、このような複数の接続ソケット１２３が放射状などに形成されていてもよい（図示せず）。この場合、カバーユニット１３０の中心のカバー孔１３４は必須とならず、たとえば、放射状の三本のスリットなどにより形成してもよい。
【００５７】
さらには、上記形態では電極ユニット１２０の押圧凸部１２４の周囲に二個の補助凸部１２５が突設されていることを例示した。しかしながら、このような補助凸部１２５が一個でもよく、三個以上でもよい（図示せず）。また、補助凸部が一個の円弧状などに形成されていてもよい（図示せず）。
【００５８】
また、上記形態では通電システム１０が一対の電極パッド１００から腕部ＨＲなどの生体に電流を通電することのみ例示した。しかしながら、このような通電システムの電極パッドから生体に、超短波や低周波などを印加してもよい。
【００５９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００６０】
１０  通電システム
１００  電極パッド
１１０  吸水ユニット
１１１  吸水本体であるスポンジシート
１１２  吸水接続機構であるオスフック
１２０  電極ユニット
１２１  電極本体であるゴムシート
１２２  通電電極
１２４  押圧凸部
１２５  補助凸部
１３０  カバーユニット
１３１  カバー本体であるプラスチックシート
１３２  フックシート
１３３  カバー接続機構であるメスフック
３００  ファスナーベルト
【図１】
2014054439.tif 000003
【図２】
2014054439.tif 000004
【図３】
2014054439.tif 000005
【図４】
2014054439.tif 000006
【図５】
2014054439.tif 000007